(57)【要約】【課題】本発明の主たる目的は、用紙搬送路に配置された搬送ローラによる用紙曲がりや穿孔装置とレジストローラとの位置関係による用紙曲がりの補正を簡単にできる構成（手段）を有する後処理装置を提供すること。【解決手段】搬送される用紙の傾きを補正するレジスト手段と、このレジスト手段の下流側に形成された２枚のフレームプレート間で用紙の搬送方向と直交する方向への移動を可能にするためのステイ軸に懸架された穿孔装置とを有する後処理装置において、前記ステイ軸を当該直交方向に保持する、少なくとも１つのアジャストプレートを前記フレームプレートの対向面の反対側面に配設し、当該アジャストプレートを当該フレームプレート面に沿って用紙の搬送方向に移動調整することを可能に構成したことを特徴とする後処理装置。【選択図】　　　　図５
2004098259.tif 000002
【特許請求の範囲】
【請求項１】
搬送される用紙の傾きを補正するレジスト手段と、このレジスト手段の下流側に形成された２枚のフレームプレート間で用紙の搬送方向と直交する方向への移動を可能にするためのステイ軸に懸架された穿孔装置とを有する後処理装置において、
前記ステイ軸を当該直交方向に保持する、少なくとも１つのアジャストプレートを前記フレームプレートの対向面の反対側面に配設し、当該アジャストプレートを当該フレームプレート面に沿って用紙の搬送方向に移動調整することを可能に構成したことを特徴とする後処理装置。
【請求項２】
前記フレームプレートは、前記用紙の搬送方向に沿った長孔と、インデックス線とを有し、当該インデックス線と前記アジャストプレートに形成された基準線との照合により前記移動調整を可能にしたことを特徴とする請求項１に記載の後処理装置。
【請求項３】
前記フレームプレートは、金属で形成されることを特徴とする請求項１又は請求項２に記載の後処理装置。
【請求項４】
前記レジスト手段は、ニップ可能な２つのローラからなり、一方はゴムローラで、もう一方は樹脂ローラから構成されることを特徴とする請求項１乃至請求項３の何れか一項に記載の後処理装置。
【請求項５】
搬送される用紙の傾きを補正するレジスト手段と、このレジスト手段の下流側に形成された２枚のフレームプレート間で用紙の搬送方向と直交方向への移動を可能にするためのステイ軸に懸架された穿孔装置と、用紙の搬送手段とを有する後処理装置において、
少なくとも１つの前記ステイ軸を当該直交方向に保持するアジャストプレートを前記フレームプレートの対向面の反対側面に設けて、前記レジスト手段又は搬送手段と前記穿孔装置との距離を、当該アジャストプレートを用紙の搬送方向の移動にて変更可能に構成したことを特徴とする後処理装置。
【請求項６】
前記フレームプレートは、前記用紙の搬送方向に沿った長孔と、インデックス線とを有し、当該インデックス線と前記アジャストプレートに形成された基準線との照合により前記移動を容易に可能にしたことを特徴とする請求項５に記載の後処理装置。
【請求項７】
前記レジスト手段又は搬送手段は、ニップ可能な２つのローラからなり、一方はゴムローラで、もう一方は樹脂ローラから構成されることを特徴とする請求項５又は請求項６に記載の後処理装置。
【発明の詳細な説明】
【０００１】
【発明の属する技術分野】
本発明は、電子写真複写機、プリンタ、ファクシミリ、及びこれらの諸機能を備えた画像形成装置により、画像が形成されて搬送されてくる用紙に対して穿孔処理を行う後処理装置に関する。
【０００２】
【従来の技術】
近年、電子写真複写機、プリンタ、ファクシミリ、及びこれらの諸機能を備えた画像形成装置により、画像が形成されて搬送されてくる用紙に対して、用紙をファイルするための穿孔処理を自動的に行う後処理装置が提供されている。
【０００３】
穿孔手段である穿孔（処理）装置は、画像形成装置から排出される用紙の搬送路の途中に位置固定で配置されていて、当該用紙に対して穿孔処理が為される構成である（例えば、特許文献１参照）。
【０００４】
【特許文献１】
特開平６−１８２６９７号公報（段落番号０００９、図１）
【０００５】
【発明が解決しようとする課題】
穿孔装置には、当該装置の下流側に搬送ローラを設け、そして上流側の一定距離位置には位置固定のレジストローラが配置され、当該レジストローラのニップ部に対して搬送されて来る用紙が当接し、用紙進行方向と直交する方向の用紙の傾きを修正する、所謂、先端レジスト処理が行われているものがある。
【０００６】
この処理後、搬送が再開される用紙の先端側が前記搬送ローラにニップされ、用紙の後端側は、レジストローラにニップされながら同一速度で搬送される。
【０００７】
そして、用紙後端が、当該レジストローラを通過しての一定時間後（例えば、数ｍｓｅｃ）、前記搬送ローラが停止され、その用紙位置で当該用紙の側縁辺に穿孔処理をしようとすると、搬送ローラによる用紙曲がりにより、用紙の傾きが再び生じていることがある。この状態で穿孔作業を行うと穿孔位置が狂ってしまうという問題がある。従って、この用紙のファイル時、用紙が不揃いになってしまうという不都合が生ずる。
【０００８】
更に、別のレジスト処理においては、搬送される用紙の先端側が、搬送ローラにニップされ、用紙の後端側は、レジストローラにニップされながら搬送されるその途中で、当該レジストローラから用紙後端が抜ける直前に、当該搬送ローラの駆動回転が停止されると、搬送されている用紙の後端側は行く先が無くなってしまい、従って、搬送ローラとレジストローラ間にループが形成されることになる。
【０００９】
この状態で、レジストローラから用紙の後端側が抜けると当該用紙がニップから開放され、用紙後端は当該用紙の弾性変形で伸び、当該レジストローラの進行方向側のニップ部に突き当たり、用紙の傾きを修正する、所謂、後端レジスト処理も行われている。この場合は、穿孔装置とレジストローラのニップ部との位置関係により、先端レジスト処理と同様の問題が生ずることがある。
【００１０】
また、穿孔装置を用紙の進行方向の直交方向に移動して処理する構成もある。当該穿孔装置の用紙搬送路に用紙の傾きを検知するエッジセンサを設け、用紙の進行方向の両側辺の何れかを検知し、その検知情報に従って当該穿孔装置を用紙の進行方向と直交する方向に移動させ、用紙への幅方向の穿孔位置を定め、その状態で用紙を停止して穿孔処理を行う構成も知られている。この場合も用紙の傾きは修正され得ない。
【００１１】
本発明は、上記の問題点に鑑みて為されたもので、その主たる目的は、用紙搬送路に配置された搬送ローラによる用紙曲がりや穿孔装置とレジストローラとの位置関係による用紙曲がりの補正を簡単にできる構成（手段）を有する後処理装置を提供することにある。
【００１２】
【課題を解決するための手段】
上記目的は、以下の手段により達成される。
【００１３】
（１）搬送される用紙の傾きを補正するレジスト手段と、このレジスト手段の下流側に形成された２枚のフレームプレート間で用紙の搬送方向と直交する方向への移動を可能にするためのステイ軸に懸架された穿孔装置とを有する後処理装置において、前記ステイ軸を当該直交方向に保持する、少なくとも１つのアジャストプレートを前記フレームプレートの対向面の反対側面に配設し、当該アジャストプレートを当該フレームプレート面に沿って用紙の搬送方向に移動調整することを可能に構成したことを特徴とする後処理装置。
【００１４】
（２）前記フレームプレートは、前記用紙の搬送方向に沿った長孔と、インデックス線とを有し、当該インデックス線と前記アジャストプレートに形成された基準線との照合により前記移動調整を可能にしたことを特徴とする（１）に記載の後処理装置。
【００１５】
（３）前記フレームプレートは、金属で形成されることを特徴とする（１）又は（２）に記載の後処理装置。
【００１６】
（４）前記レジスト手段は、ニップ可能な２つのローラからなり、一方はゴムローラで、もう一方は樹脂ローラから構成されることを特徴とする（１）乃至（３）の何れか一項に記載の後処理装置。
【００１７】
（５）搬送される用紙の傾きを補正するレジスト手段と、このレジスト手段の下流側に形成された２枚のフレームプレート間で用紙の搬送方向と直交方向への移動を可能にするためのステイ軸に懸架された穿孔装置と、用紙の搬送手段とを有する後処理装置において、少なくとも１つの前記ステイ軸を当該直交方向に保持するアジャストプレートを前記フレームプレートの対向面の反対側面に設けて、前記レジスト手段又は搬送手段と前記穿孔装置との距離を、当該アジャストプレートを用紙の搬送方向の移動にて変更可能に構成したことを特徴とする後処理装置。
【００１８】
（６）前記フレームプレートは、前記用紙の搬送方向に沿った長孔と、インデックス線とを有し、当該インデックス線と前記アジャストプレートに形成された基準線との照合により前記移動を容易に可能にしたことを特徴とする（５）に記載の後処理装置。
【００１９】
（７）前記レジスト手段又は搬送手段は、ニップ可能な２つのローラからなり、一方はゴムローラで、もう一方は樹脂ローラから構成されることを特徴とする（５）又は（６）に記載の後処理装置。
【００２０】
【発明の実施の形態】
次に、本発明の後処理装置、及び後処理装置を備えた画像形成装置を図面に基づいて説明する。
【００２１】
図１は、画像形成装置Ａ、画像読み取り装置Ｂ、後処理装置ＦＳから成る画像形成システムの全体構成図である。
【００２２】
画像形成装置Ａは、回転する像担持体（以下、感光体と称す）１の周囲に、帯電手段２、像露光手段（書き込み手段）３、現像手段４、転写手段５Ａ、除電手段５Ｂ、分離爪５Ｃ、及びクリーニング手段６を配置した像形成部を有し、帯電手段２によって感光体１の表面に一様帯電を行った後に、書き込み手段３のレーザビームによって原稿から読み取られた画像データに基づく露光走査を行って潜像を形成し、当該潜像を現像手段４により反転現像して感光体１の表面にトナー像を形成する。
【００２３】
一方、用紙収納手段７Ａから給紙された用紙Ｓは転写位置へと送られる。転写位置において転写手段５Ａにより前記トナー像が用紙Ｓ上（表面）に転写される。その後、用紙Ｓは除電手段５Ｂにより裏面の電荷が消去され、分離爪５Ｃにより感光体１から分離され、中間搬送部７Ｂにより搬送され、引き続き定着手段８により加熱定着され、排紙部７Ｃから排出される。
【００２４】
用紙Ｓの両面に画像形成を行う場合には、定着手段８により加熱定着された用紙Ｓを、搬送路切り替え板７Ｄにより通常の排紙通路から分岐し、反転搬送手段７Ｅにおいてスイッチバックして表裏反転した後、前記用紙Ｓの表面に画像形成する場合と同様に、反転された用紙Ｓは転写位置へと送られ、トナー像の転写、表面の電荷の消去、感光体１から分離、中間搬送部７Ｂ、定着手段８を経て排紙部７Ｃにより装置外に排出される。排紙部７Ｃから排出される用紙Ｓは、後処理装置ＦＳの受入部１１に送り込まれる。
【００２５】
一方、感光体１の画像処理後の表面は、分離爪５Ｃの下流においてクリーニング手段６により表面に残留している現像剤が除去され、次の画像形成に備える。
【００２６】
画像形成装置Ａの上部前面側には、画像形成モード、用紙後処理モード等を選択して設定する操作部９が配置されている。
【００２７】
画像形成装置Ａの上部には、原稿移動型読み取り方式の自動原稿送り装置を備えた画像読み取り装置Ｂが設置されている。
【００２８】
図２は、後処理装置ＦＳ内における用紙Ｓの搬送経路を示す断面図である。
図３は、後処理装置ＦＳの中段にほぼ水平に配置された穿孔手段である穿孔装置４０とシフト手段５０と排紙手段６０の断面図である。
【００２９】
後処理装置ＦＳには、図示の上段に第１給紙手段２０Ａと第２給紙手段２０Ｂと固定排紙台３０が配置され、中段に穿孔装置４０とシフト手段５０と排紙手段６０がほぼ水平をなす同一平面上に直列配置され、下段に綴じ手段（ステイプル手段）７０と折り手段８０が傾斜面をなす同一平面上に直列配置されている。
【００３０】
また、後処理装置ＦＳの図示左側面には、シフト処理済みの用紙及び端綴じ処理済みの用紙束を積載する昇降排紙台９１と、三折り又は二つ折りに畳み折り処理された処理済み用紙束Ｓａを積載する固定排紙台９２とが配置されている。
【００３１】
後処理装置ＦＳは画像形成装置Ａから搬出された用紙Ｓの受入部１１が画像形成装置Ａの排紙部７Ｃと合致するように位置と高さが調節され設置されている。
【００３２】
受入部１１には、画像形成装置Ａから画像形成処理された用紙Ｓと、第１給紙手段２０Ａから供給される用紙束間を仕切る合紙（インサート紙）Ｊと、第２給紙手段２０Ｂから供給される表紙用紙Ｋとが導入される。受入部１１近傍には、用紙の先端通過を検知するセンサＰＳが配置されている。
【００３３】
第１給紙手段２０Ａの給紙皿内に収容されたインサート紙Ｊは、給紙部２１により分離、給送され、搬送ローラ２２、２３、２４に挟持されて、受入部１１に導入される。また、第２給紙手段２０Ｂの給紙皿内に収容された表紙用紙Ｋは、給紙部２５により分離、給送され、搬送ローラ２３、２４に挟持されて、受入部１１に導入される。
【００３４】
受入部１１の用紙搬送方向下流側には、穿孔装置４０が配置されている。穿孔装置４０は、駆動源であるモータＭ１により回転駆動されるギア４９Ａ、ギア４９Ａの偏芯位置に一端が係止されたコネクチングロッド４２、コネクチングロッド４２により昇降駆動されるパンチ４１、パンチ４１の昇降用ガイド４５、パンチ４１の刃部と嵌合するダイ４４とを有する。
【００３５】
パンチ４１とダイ４４による穿孔位置の用紙搬送方向上流側には、レジストローラ４７Ａ、穿孔位置の用紙搬送方向下流側には、搬送ローラ４７Ｂがそれぞれ配置されている。穿孔装置４０の詳細については図５乃至図７にて後記する。
【００３６】
図４は、穿孔装置４０により穿孔処理された用紙Ｓの各種例を示す平面図である。図４（ａ）は用紙の側縁辺ｂの近傍２ヶ所に孔ｈを穿孔した例（２孔ファイル）を示し、図４（ｂ）は３ヶ所の孔ｈを穿孔した例（３孔ファイル）を示し、図４（ｃ）は４ヶ所に孔ｈを穿孔した例（４孔ファイル）を示す。これらの複数の孔ｈの間隔は規格化されている。また、用紙Ｓの側縁辺ｂから孔ｈまでの穿孔端面距離ｃは、任意に設定できるが、一般には９〜１１ｍｍである。
【００３７】
穿孔装置４０の用紙搬送方向下流側には、切り替えゲートＧ１、Ｇ２からなる用紙分岐手段が設けられている。切り替えゲートＧ１、Ｇ２は図示しないソレノイドの駆動により三方の用紙搬送路、即ち、上段排紙用の第１搬送路▲１▼、中段の第２搬送路▲２▼、下段の第３搬送路▲３▼の何れかに選択的に分岐させる。
【００３８】
「単純排紙」が設定されると、用紙Ｓは、第１搬送路▲１▼を進み、この用紙Ｓは、搬送ローラ３１に挟持されて上昇し、排出ローラ３２により排出され、固定排紙台３０上に載置され、順次積載される。
【００３９】
尚、用紙Ｓに穿孔する場合には、穿孔装置４０が作動する。
「シフト処理」の搬送モードに設定されると、画像形成装置Ａより排出された画像形成済み用紙Ｓ、又は、第１給紙手段２０Ａから給送されたインサート紙Ｊ、或いは、第２給紙手段２０Ｂから給送された表紙用紙Ｋは、切り替えゲートＧ１、Ｇ２の中間通紙路を通過して、シフト手段５０により用紙搬送方向と直交する方向に、シフト処理され、搬送ローラ５１により搬送される。
【００４０】
シフト手段５０は所定の枚数毎に、搬送幅方向の用紙Ｓの排紙位置を変えるシフト処理を行う。シフト処理された用紙Ｓは、排紙手段６０により機外の昇降排紙台９１に排出され順次積載される。
【００４１】
後処理ユニット１０は綴じ手段７０と折り手段８０からなる。
簡略に説明しておく。
【００４２】
操作部９において「綴じ処理」または「折り処理」が設定されると、画像形成装置Ａ内で画像形成処理されて、後処理装置ＦＳの受入部１１に送り込まれた画像形成済みの用紙Ｓは、穿孔装置４０を通過し、切り替えゲートＧ２の下方の第３搬送路▲３▼に送り込まれ、搬送ローラ１２に挟持されて下方に搬送され、切り替えゲートＧ３の通紙路１３を通過して、搬送ローラ１４に挟持されて、下方に搬送される。
【００４３】
用紙Ｓは、更に下流のレジストローラ１５により挟持されて送り出され、傾斜配置された中間スタッカ７１の上方空間に排出され、中間スタッカ７１または中間スタッカ７１上に積載された用紙Ｓの上面に接し、斜め上方に搬送される。
【００４４】
積載された用紙Ｓの進行方向後端部が、用紙Ｓの自重により下降に転じ、中間スタッカ７１の傾斜面上を搬送され、綴じ手段７０近傍の端綴じ用可動ストッパ部材（以下、端綴じストッパと称す）７２の用紙突き当て面に用紙Ｓの後端部が当接して停止する。
【００４５】
７３は中間スタッカ７１の両側面に移動可能に設けた一対の幅整合部材である。幅整合部材７３は用紙搬送方向と直交する方向に移動可能であり、用紙Ｓが中間スタッカ７１上を搬送され、端綴じストッパ７２に当接して停止するときには、用紙Ｓの幅方向の側縁を軽打して用紙Ｓの幅揃え（幅整合）を行う。この停止位置において、中間スタッカ７１上に所定枚数の用紙Ｓが積載、整合されると、綴じ手段７０により綴じ合わせ処理が行われ、用紙Ｓが綴じ合わされる。
【００４６】
前記中間スタッカ７１の用紙積載面の一部には切り欠き部が形成されていて、駆動プーリ７４Ａと従動プーリ７４Ｂに巻回された複数の排出ベルト７４Ｃが回動可能に駆動される。排出ベルト７４Ｃの一部には、排出爪７４Ｄが一体に形成されている。綴じ処理された用紙Ｓは、排出ベルト７４Ｃの排出爪７４Ｄにより用紙Ｓの後端部が保持されて、排出ベルト７４Ｃ上に載せられ、中間スタッカ７１の載置面上を滑走して斜め上方に押し上げられ、排紙手段６０の排出ローラ６１の挟持位置に進行する。回転する排紙ローラ６１に狭持された用紙Ｓは、昇降排紙台９１上に排出、積載される。
【００４７】
綴じ手段７０は、打針機構７０Ａと受針機構７０Ｂとの２分割構造に構成されている。
【００４８】
綴じ手段７０は、用紙搬送方向に直交する方向に２組配置され、図示しない駆動手段により、用紙搬送方向に直交する方向に移動されて、用紙幅方向の中央振り分け２ヶ所に綴じ針を打つ「平綴じ処理」、また、綴じ手段７０は、揺動回転可能に支持され、用紙サイズに対応して用紙Ｓのコーナ部１ヶ所に綴じ針を打つ「端綴じ処理」、さらに、綴じ手段７０は、用紙Ｓの搬送方向中央部の折り目の出来る部分で、用紙幅方向の中央振り分け２ヶ所に綴じ針を打つ「中綴じ処理」が出来る構成である。
【００４９】
「中綴じ処理モード」に設定され、各部の動作後、最終の用紙Ｓが中間スタッカ７１上に位置決め載置された後、表紙用紙Ｋと用紙Ｓの前頁とから成る用紙束に綴じ手段７０による中綴じ処理を行う。この中綴じ処理により、表紙用紙Ｋ及び用紙Ｓの搬送方向の中央部に綴じ針が打ち込まれる。綴じ針は綴じ針駆動側の打針機構７０Ａから、綴じ針クリンチ側の受針機構７０Ｂに打ち込まれる。
【００５０】
参照符号８０は、二つ折り処理等をする折り手段を示す図である。
中綴じ処理後、用紙Ｓが用紙Ｓの搬送方向下流側に直線移動され（１点鎖線表示）、所定位置に停止して折り処理される。
【００５１】
停止状態の用紙Ｓの搬送方向の中央部、即ち中折り位置の図示の右側には、折り手段８０の突き出し板８２が設置されている。中折り位置の図示の左側には、一対の第１折りローラ８３、８４が設置されている。
【００５２】
突き出し板２が用紙Ｓを押して第１折りローラ８３、８４に圧接させ更に突き出し板２が第１折りローラ８３、８４の挟持位置を越えた位置に進入させて用紙Ｓを二つ折り後、待避して図示しない初期位置戻るとともに、二つ折りされた用紙束Ｓａが第１折りローラ８３、８４により矢印ＰＡを進み（搬送切り換え部材８７が作動され搬送路が形成される）固定排紙台９２に積載される構成である。
【００５３】
尚、折り手段８０は、三つ折り処理のモードも合わせ持ち実行可能である。
第１の折り畳み手段は、第１折りローラ８３、８４と、突き出し板８２とからなり、第２の折り畳み手段は、第２折りローラ８５、搬送ベルト８６、搬送切り換え部材８７、案内板８８、用紙先端停止部材８９から成る。
【００５４】
図５は、本発明に係わる穿孔装置を説明するための正面図である。
図５（ａ）はアジャストプレート及びそれに配置される構成部品を示し、図５（ｂ）はフレームプレートに形成される、移動調整用の長孔とその照合のための基準線とインデックス線と雌ねじとを示す図である。
【００５５】
図６は、穿孔装置を説明するための右側面図である。
図７は、穿孔装置を説明するための背面図とその平面図である。
【００５６】
図１に示すシステム全体構成図に構成される後処理装置ＦＳの図示しない前面カバー及び背面カバーを開けると、当該の正面図と背面図に示す構成部品を望見できる。
【００５７】
配置される穿孔手段の構成は、画像形成装置Ａにより、画像が形成されて搬送されてくる用紙Ｓを受け容れるため、後処理装置ＦＳ本体内に、図３で既報のレジストローラ４７Ａと、レジストローラ４７Ａの下流側に、搬送方向に沿って且つ搬送方向に直交する方向に一定の間隔を保持して形成された後記する２枚のフレームプレートと、当該間隔内に後記する２本のステイ軸で懸架された穿孔装置４０と、既報の搬送ローラ４７Ｂとから成る。
【００５８】
図５（ａ）に示す様に、前記フレームプレートの内の１つである２点鎖線表示の前フレームプレートＭＡ面には、２本のステイ軸ＳＳ１、ＳＳ２を直交方向、即ち、この紙面に対して垂直方向に保持するアジャストプレートＡＤ１が配設され、このアジャストプレートＡＤ１面には、更に、一面が軒状に紙面の垂直方向に突き出たブラケットＢＵが、例えば、ネジＢＵ１で固定配置されている。
【００５９】
当該前フレームプレートＭＡは実施の形態において、ネジＡＳ１、ＡＳ２、ＡＳ３、ＡＳ４で固定されるその位置には、用紙の搬送方向に沿って長孔ＮＰが形成されている。
【００６０】
前記ブラケットＢＵには、駆動源であるモータＭ２と、モータ軸ＭＳにはタイミングプーリＴ１と、図示しないタイミングベルトを介して駆動回転されるタイミングプーリＴ２と、支軸ＴＳにはタイミングプーリＴ２とギアＧ１とが同軸回転可能に配置されている。２点鎖線表示のＳＧは後記する下側ガイドである。
【００６１】
参照符号Ｇ２で示すのはラックであり、後記する穿孔装置４０のアッパープレートの延長上に配置されており、前記ギアＧ１からの駆動力を受けて穿孔装置４０を用紙Ｓの搬送方向と直交する方向、即ちこの紙面に対して垂直方向に移動させられる機能を有している。尚、矢印は用紙Ｓの搬送方向を示している。
【００６２】
図５（ｂ）に示す、前フレームプレートＭＡ面には、２点鎖線で表示するアジャストプレートＡＤ１の配設予定位置と、本発明に係わる用紙Ｓの搬送方向に沿った２ヶ以上の長孔ＴＰとインデックス線ＩＮと、複数の雌ねじＳＵとが形成されている。当該長孔ＴＰは、前記ステイ軸ＳＳ１、ＳＳ２と対応する位置にあり、その寸法は略長さ２０ｍｍで幅Ｗは当該ステイ軸径より略０．１ｍｍ大きい。
【００６３】
雌ねじＳＵもアジャストプレートＡＤ１を固定するネジＡＳ１〜ＡＳ４と対応する位置に形成されている。
【００６４】
従って、前記の前フレームプレートＭＡに形成されたインデックス線ＩＮに対してアジャストプレートＡＤ１を搬送方向に沿って移動し当該アジャストプレートＡＤ１の下方に形成された基準線ＩＬとの照合が可能な構成にしてある。
【００６５】
尚、実施の形態において、２枚のフレームプレートは金属材からなる。
図６に示す様に、穿孔装置４０は、前フレームプレートＭＡと後フレームプレートＵＦ間に配置されたステイ軸ＳＳ１、ＳＳ２に懸架され、当該前後のフレームプレートＭＡ、ＵＦの対向面の反対側面には、アジャストプレートＡＤ１及びアジャストプレートＡＤ２が配設されている。アジャストプレートＡＤ１には図５（ａ）で説明した構成部品が配置されている。
【００６６】
当該穿孔装置４０の主要部の構成は、２つのフレームプレートＭＡ、ＵＦ間で、矢印表示するこの紙面の左右方向に、即ち用紙Ｓの搬送方向と直交する方向への移動を可能にするための移動手段ＩＤと、移動手段ＩＤに懸架された穿孔部ＳＥとからなる。
【００６７】
当該移動手段ＩＤは、２つのフレームプレートＭＡ、ＵＦ間での移動を可能にする２セットの、スライド軸受けＳＢを有するＵ型ブラケットＵＢ、および樹脂軸受けＪＧ（図７（ｂ）参照）とが、穿孔部ＳＥの上面及び側面に配置されている。
【００６８】
それぞれの軸受けＳＢ、ＪＧには、例えば、略６ｍｍ径からなるステイ軸ＳＳ１、ＳＳ２が嵌合され、その一端は、アジャストプートＡＤ１面に対して直交する方向に固定され、もう一端は、アジャストプートＡＤ２に支持されている。
【００６９】
穿孔部ＳＥは、この紙面の垂直方向に一定の幅を有する、アッパープレートＵＰと前パンチフレームＰＦＭとローワプレートＬＰを直角状に備えた後パンチフレームＰＦＢとからなる直方体形状を有している。当該ローワプレートＬＰの下側には用紙Ｓの搬送路ＰＬを形成すべく、上側ガイドＵＧと略２ｍｍ間隔を保った下側ガイドＳＧとが設けられ、当該両ガイドは当該間隔の保持位置から用紙Ｓの進入側に対してテーパ状に広がっている（図７（ａ）参照）。
【００７０】
前記アッパープレートＵＰは、用紙Ｓの搬送方向と直交する方向から見て、この紙面と沿う方向に立ち下がりを有し、且つ、アッパープレートＵＰの一部分ＵＰ１が前フレームプレートＭＡ側に伸びていて、前フレームプレートＭＡとアジャストプレートＡＤ１とに形成された図示しない開口に貫通されている。
【００７１】
前記一部分ＵＰ１には、前記ラックＧ２が固定されていて、モータＭ２の回転駆動に従って当該ラックＧ２がこの紙面の矢印表示の左右方向に移動され、これに連動しているスライド軸受けＳＢと樹脂軸受けＪＧとがステイ軸ＳＳ１、ＳＳ２に沿って移動されることで、穿孔部ＳＥが移動可能となる。
【００７２】
前記直方体形状内には、一部点線表示のＬ形状のブラケットＢＵに固定された、駆動源であるモータＭ１とモータＭ１により駆動されるギア４９Ａと、ギア４９Ａの偏芯位置に形成されたボス４９Ｂと、ボス４９Ｂに一端が係止されたコネクチングロッド４２Ａと、当該ギア４９Ａと連結軸ＬＳを介してコネクチングロッド４２Ａと同相駆動されるコネクチングロッド４２Ｂと、コネクチングロッド４２Ａ、４２Ｂの下端側に設けられたピン４８Ａ、４８Ｂ（４８Ｂは上側ガイドＵＧにて隠蔽）と、ピン４８Ａ、４８Ｂに係合されるプレートレバー４８と、紙面に対して下面方向に広がりを有する当該プレートレバー４８の揺動動作支点部を支持する支持軸４６と、当該プレートレバー４８面上に配置される２点鎖線表示の、パンチ４１と、パンチの刃部と嵌合して用紙Ｓを穿孔するダイ４４と、パンチ４１の昇降用ガイド４５とから構成されている。
【００７３】
尚、参照符号４３で示す、パンチ４１の反刃部に形成さた穴に係合されたクランクピンは、プレートレバー４８に設けられ、コネクチングロッド４２Ａ、４２Ｂの動作に従ってパンチ４１を両矢印方向に上下動するように構成されている。
【００７４】
前記ステイ軸ＳＳ１、ＳＳ２の内１本を除きステイ軸ＳＳ１のみによる穿孔装置４０を懸架する構成であっても良い。
【００７５】
図７（ａ）に示す様に、２点鎖線表示の後フレームプレートＵＦ面には、２本のステイ軸ＳＳ１、ＳＳ２をこの紙面に対して垂直方向に支持するアジャストプレートＡＤ２が配設されている。
【００７６】
アジャストプレートＡＤ２の中央には、用紙Ｓの搬送方向に沿って長孔ＮＰが形成され、斜め上下方向には、２ヶ以上の孔Ｈ（ステイ軸と重複）が形成されている。当該アジャストプレートＡＤ２の後フレームプレートＵＦ面への固定は、ネジＡＳ５により可能である。
【００７７】
実施の形態において、当該孔Ｈはステイ軸径６ｍｍより略０．１ｍｍ大きい。
前記後フレームプレートＵＦには、本発明に係わる点線表示の２ヶ以上の長孔ＴＰが用紙の搬送方向に沿って形成され、当該長孔ＴＰの位置は、前記前フレームプレートＭＡに形成された長孔ＴＰと面対称の関係にある。換言すれば、前記孔Ｈと対応する位置関係にあるとも言える。
【００７８】
当該後フレームプレートＵＦにも前フレームプレートＭＡと同様のインデックス線ＩＮ、アジャストプレートＡＤ２には基準線ＩＬが形成され、前記の前フレームプレートＭＡの場合と同様に照合による移動調整が可能である。
【００７９】
参照符号で既出のものの説明は、省略する。
前記レジストローラ４７Ａは、ニップ可能な上下２つのローラからなり、搬送方向に直交する方向の内の、例えば、上側ローラはゴム材質で、下側ローラは樹脂材からなる。それぞれのローラは、当該直交方向に円筒形状の２つのローラを有し、当該ローラの中心に軸が団子の串状に、且つ所定間隔を維持して組み付けられている。ニップ力は上下２つのローラ間で略４〜６（Ｎ）である。
【００８０】
前記搬送ローラ４７Ｂは、ニップ可能な上下２つのローラからなり、搬送方向に直交する方向の内の、例えば、上側ローラは樹脂材で、下側ローラはゴム材質からなる。それぞれのローラは、当該直交方向に円筒形状の４つのローラを有し、当該ローラの中心に軸が団子の串状に、且つ所定間隔を維持して組み付けられている。ニップ力は上下２つのローラ間で略１６〜２０（Ｎ）である。
【００８１】
上記の構成にすることにより、用紙搬送路に配置されている搬送ローラによる用紙Ｓの曲がりが生じ、用紙Ｓの側縁辺ｂからの孔ｈまでの穿孔端面距離ｃ＝９〜１１、が狂った場合、傾き方向と傾き具合を穿孔された用紙Ｓの実測、若しくくは、図示しない基準ゲージにてアジャストプレートＡＤ１の移動量を測定し、その移動量に従って穿孔装置４０の移動調整を行う。
【００８２】
用紙Ｓの先端側が、例えば、用紙搬送方向に対して右方向の傾きが生じていれば、アジャストプレートＡＤ１を固定しているネジＡＳ１〜ＡＳ４を緩め、前フレームプレートＭＡ面に沿って搬送方向、即ち、搬送ローラ４７Ｂ側へ移動する。即ち、アジャストプレートＡＤ１に形成された前記基準線ＩＬを前フレームプレートＭＡのインデックス線ＩＮと照合しながら、前記移動量だけ、ずらし、再び、ネジＡＳ１〜ＡＳ４を締めてアジャストプレートＡＤ１を固定すれば、用紙Ｓの傾きに相応する穿孔装置４０の移動調整ができる。
【００８３】
背面側に設けてあるアジャストプレートＡＤ２によってもこの移動調整は可能で、この場合には、アジャストプレートＡＤ１の場合の逆の処置を行えば良い。
【００８４】
前記移動調整の結果、用紙Ｓの傾きの修正は良好となっても、場合によっては、用紙Ｓの停止位置が所定位置より行き過ぎてしまったり、或いは、不足したりして穿孔端面距離ｃの規定外に穿孔がなされてしまうこともある。
【００８５】
又、穿孔装置４０の位置とレジストローラ４７Ａとの位置関係により、用紙Ｓの傾きの修正後にも同じことが起こりうる。
【００８６】
これらの場合に、　前記の前フレームプレートＭＡと後フレームプレートＵＦの対向面の反対側面に設けた、アジャストプレートＡＤ１、ＡＤ２を用紙の搬送方向に前記基準線ＩＬとインデックス線ＩＮとを照合しながら移動し、レジストローラ４７Ａと穿孔装置４０との距離を変更して適正な穿孔位置にすることができる。
【００８７】
【発明の効果】
本発明により、コストの掛からない簡易な手段にて、用紙搬送路に配置された搬送ローラによる用紙曲がりや穿孔装置とレジストローラとの位置関係による用紙曲がりによる穿孔位置の狂いを修正出来る後処理装置を提供する事を可能とした。
【図面の簡単な説明】
【図１】画像形成装置、画像読み取り装置、後処理装置から成る画像形成システムの全体構成図である。
【図２】後処理装置内における用紙の搬送経路を示す断面図である。
【図３】後処理装置の中段に、ほぼ水平に配置された穿孔手段である穿孔装置とシフト手段と排紙手段の断面図である。
【図４】穿孔装置により穿孔処理された用紙の各種例を示す平面図である。
【図５】本発明に係わる穿孔装置を説明するための正面図である。
【図６】穿孔装置を説明するための右側面図である。
【図７】穿孔装置を説明するための背面図とその平面図である。
【符号の説明】
４０　穿孔装置
４１　パンチ
ｂ　側縁辺
４７Ａ　レジストローラ
４７Ｂ　搬送ローラ
ＭＡ、ＵＦ　前フレームプレート、後フレームプレート
ＳＳ１、ＳＳ２　ステイ軸
ＡＤ１、ＡＤ２　アジャストプレート
ＴＰ　長孔
ＩＮ　インデックス線
ＩＤ　移動手段
ＳＥ　穿孔部
ＰＬ　搬送路
ＵＧ　上側ガイド
ＳＧ　下側ガイド
【図１】
2004098259.tif 000003
【図２】
2004098259.tif 000004
【図３】
2004098259.tif 000005
【図４】
2004098259.tif 000006
【図５】
2004098259.tif 000007
【図６】
2004098259.tif 000008
【図７】
2004098259.tif 000009